(57)【要約】【課題】装着時に磁気発生部位の位置を調節して治療しようとする患部に的確に磁力を与えることができ、優れた装飾性を維持しつつ、磁力を効果的に発揮して患部を治療することができ、医療器具としても十分にその機能を発揮しながら使用できる磁気治療機能を有するネックレスを提供すること。【解決手段】適宜の長さを有する長尺部材１１を磁性体で成形してこの長尺部材１１の長さ方向に沿った断面分割面１３にＳ極とＮ極をそれぞれ着磁してロープ体１２を形成し、このロープ体１２の長さ方向に沿って移動自在な保持体１６を設け、この保持体１６内に半球分割面でＳ極とＮ極に磁極が分割された球体からなる磁性部材２０を配設し、この磁性部材２０がロープ体１２の着磁面と異極の着磁面を磁着するように旋回移動して磁性部材２０の最大磁束密度Ｆを発生する部分をネックレス本体１０の内向きに生じさせるようにした磁気治療機能を有するネックレスである。【選択図】図４
2007097847.tif 000002
【特許請求の範囲】
【請求項１】
適宜の長さを有する長尺部材を形成し、この長尺部材の長さ方向に移動自在に保持体を設け、この保持体にネックレス本体の内向きに最大磁束密度を生じる磁性部材を配設したことを特徴とする磁気治療機能を有するネックレス。
【請求項２】
適宜の長さを有する長尺部材を磁性体で成形してこの長尺部材の長さ方向に沿った断面分割面にＳ極とＮ極をそれぞれ着磁してロープ体を形成し、このロープ体の長さ方向に沿って移動自在な保持体を設け、この保持体内に半球分割面でＳ極とＮ極に磁極が分割された球体からなる磁性部材を配設し、この磁性部材が前記ロープ体の着磁面と異極の着磁面を磁着するように旋回移動して前記磁性部材の最大磁束密度を発生する部分をネックレス本体の内向きに生じさせるようにしたことを特徴とする磁気治療機能を有するネックレス。
【請求項３】
前記長尺部材の自由端部の一端に止着部材を固着し、他端に前記止着部材を挿入して止着可能な止着筒体を固着した請求項１又は２記載の磁気治療機能を有するネックレス。
【請求項４】
前記長尺部材の自由端部をキャップで被覆し、前記自由端部を巻回して前記長尺部材の長さ方向に位置している異極同士を吸着して適宜の径に調整できる環状体を構成した請求項１又は２記載の磁気治療機能を有するネックレス。
【請求項５】
前記環状体の吸着部位の途中に、前記環状体同士の吸着を保持する保持部材に磁石を一体化して設けた請求項４記載の磁気治療機能を有するネックレス。
【発明の詳細な説明】
【技術分野】
【０００１】
本発明は、永久磁石が有する磁気を利用して肩こりを解したり血行を促進させるなどの磁気治療を行うことができる磁気治療機能を有するネックレスに関する。
【背景技術】
【０００２】
従来より、例えば、長尺状のネックレスに磁石を設け、この磁石から発せられる磁力によって肩こりを解したり血行促進を図るようにした、いわゆる、磁気ネックレスと呼ばれるネックレスがある。
【０００３】
この種のネックレスとして、例えば、特許文献１の磁石入り穴明きボール玉を用いたネックレスがある。このネックレスにおけるボール玉は、ボール部に貫通した穴を有し、この穴に軸管を固定し、この軸管に磁石を固定してボール部に対する磁石の位置関係を固定するようにしている。これにより、磁石に紐を通しやすくして容易にネックレスを製作できるようにし、製作したネックレスを健康器具としても使用できるものとしている。
【０００４】
また、筒状に設けたカプセルの一部に柱状の永久磁石体を内装し、このカプセルをひも状部材で接続して環状に形成した磁気ネックレスがある（例えば、特許文献２参照。）。
この磁気ネックレスは、永久磁石体をスペーサで保持して永久磁石体とカプセルの軸とが同軸になるようにし、この磁気ネックレスを身体に装着したときにカプセルの姿勢が変化してもカプセル表面の磁束密度の変動を抑制でき、また、カプセル表面の磁束密度のバラツキを抑えるようにしている。
【特許文献１】特開２００４−８１３４２号公報
【特許文献２】特開２００５−１３１１２０号公報
【発明の開示】
【発明が解決しようとする課題】
【０００５】
しかしながら、特許文献１及び特許文献２のネックレスは、磁石を内装したボール玉やカプセルを紐で繋げたタイプのネックレスであるため、ネックレス本体に対して磁石の位置関係は固定されたものとなっていた。これらのネックレスの装着時には身体への磁石の位置がほぼ決まっており、紐に対して磁石を移動して特定の患部の位置に合わせて治療することはできなかった。さらに、磁石同士の間隔も固定されていた。
また、装着中にネックレスに揺れが生じると、このネックレスが身体に対して簡単にずれたり回転したりするため、患部を集中して治療することは難しく、医療器具としての機能を維持できるものではなかった。
【０００６】
また、これらのネックレスは、ボール部やカプセル内に磁石を完全に内装した構造であるためデザインに制約を受けることがあり、例えば、磁気を強くするために磁石を大きくした場合にはボール部やカプセル全体が大きくなり、これによってネックレス全体の装飾性が失われることがあった。
【０００７】
さらに、これらのネックレスは、単に磁石をボール部やカプセル内に内装しただけの構造であり、内装する際に磁力の向きや大きさなどについては考慮されていないという問題があった。
ここで、永久磁石にはＳ極とＮ極からなる磁極が存在し、このＳ極、Ｎ極には磁束が集中しており、特に、この磁極の先端側の磁力が最も大きくなっている。
例えば、特許文献１のボール玉において、磁石の極性を決めるときに、磁石の穴の向きに対して直角にＳ極とＮ極を分けると、このＳ極とＮ極は磁石の穴に通している紐の向きとなるため、この磁石を内装したネックレスを装着したときに最大磁束密度部位を患部の向きにすることができない。このため、この場合磁気ネックレスとしての機能を十分に発揮しているとは言い難い。
【０００８】
一方、穴の向きに対して平行にＳ極とＮ極を分けた場合には、Ｓ極、Ｎ極を患部の向きにすることはできるが、各ボール玉が紐に対して回転自在となっているため、実際にはボール玉の磁極の向きが一定ではなくなり、Ｓ極、Ｎ極の最大磁束密度部位が常に患部に当接する向きになるとは限らなかった。
このように、上記のネックレスは、磁力の強さを十分に発揮した状態で患部に装着できるとは言い難く、医療器具として見た場合、その治療効果は低かった。
【０００９】
本発明は、従来の課題点に鑑みて開発したものであり、その目的とするところは、装着時に磁気発生部位の位置を調節して治療しようとする患部に的確に磁力を与えることができ、しかも、優れた装飾性を維持しつつ、磁力を効果的に発揮して患部を治療することができ、医療器具としても十分にその機能を発揮しながら使用できる磁気治療機能を有するネックレスを提供することにある。
【課題を解決するための手段】
【００１０】
上記の目的を達成するため、請求項１に係る発明は、適宜の長さを有する長尺部材を形成し、この長尺部材の長さ方向に移動自在に保持体を設け、この保持体にネックレス本体の内向きに最大磁束密度を生じる磁性部材を配設した磁気治療機能を有するネックレスである。
【００１１】
請求項２に係る発明は、適宜の長さを有する長尺部材を磁性体で成形してこの長尺部材の長さ方向に沿った断面分割面にＳ極とＮ極をそれぞれ着磁してロープ体を形成し、このロープ体の長さ方向に沿って移動自在な保持体を設け、この保持体内に半球分割面でＳ極とＮ極に磁極が分割された球体からなる磁性部材を配設し、磁性部材がロープ体の着磁面と異極の着磁面を磁着するように旋回移動してこの磁性部材の最大磁束密度を発生する部分をネックレス本体の内向きに生じさせるようにした磁気治療機能を有するネックレスである。
【００１２】
請求項３に係る発明は、長尺部材の自由端部の一端に止着部材を固着し、他端に止着部材を挿入して止着可能な止着筒体を固着した磁気治療機能を有するネックレスである。
【００１３】
請求項４に係る発明は、長尺部材の自由端部をキャップで被覆し、自由端部を巻回して長尺部材の長さ方向に位置している異極同士を吸着して適宜の径に調整できる環状体を構成した磁気治療機能を有するネックレスである。
【００１４】
請求項５に係る発明は、環状体の吸着部位の途中に、環状体同士の吸着を保持する保持部材に磁石を一体化して設けた磁気治療機能を有するネックレスである。
【発明の効果】
【００１５】
請求項１に係る発明によると、長尺状のネックレスに磁気治療効果を有する磁気発生部位を設けることができ、装着時にはこの磁気発生部位の位置を調節することで治療しようとする患部に的確に磁力を与えることができ、しかも、ネックレス本体が有する装飾性を維持したまま装着でき、磁力を効果的に発揮させた状態で患部を治療して、患部を集中して治療できることにより医療器具としても十分にその機能を発揮しながら使用できる磁気治療機能を有するネックレスを提供できる。
また、あらゆる使用者に対応でき、使用者ごとに異なる患部位置にも対応して磁気発生部位を調節しながら装着することができ、誰でも簡単に磁気治療機能を発揮させながら使用することができる磁気治療機能を有するネックレスである。
【００１６】
請求項２に係る発明によると、装着時に磁気発生部位の位置を調節して患部に的確に磁力を与えることができ、磁気発生部位を調節した場合であっても常に患部側に磁性部材の最大磁束密度を発生する部分を配置できるため、常に最大限に磁力を発揮させて最も効果的に患部を治療することができる磁気治療機能を有するネックレスである。
また、ネックレス本体が有する装飾性を損なうことが無いばかりか、このネックレス本体をフェライト粉末や希土類・コバルト合金粉末などで形成することによって、より優れた装飾性を発揮させることもできる。
さらに、使用者ごとに異なる患部位置に対しても、この患部位置に磁気発生部位に移動調節して装着でき、しかも、ネックレス全体が身体にフィットして自然にずれたりするのを防ぎ、治療時には、ピンポイントで押圧した状態を維持できるためより優れた治療効果が発揮できるネックレスであり、これらのことにより極めて商品価値の高い磁気治療機能を有するネックレスを提供できる。
【００１７】
請求項３に係る発明によると、容易に着脱可能であり、優れた装飾性を維持しながら、患部に対して磁気発生部位の位置を保持した状態で装着することができる磁気治療機能を有するネックレスを提供できる。また、通常の装着以外にも、止着部材と止着筒体を身体の前方に配置した、いわゆる、ペンダントトップとしての装飾性をもち、フロントロックの状態でこのネックレスを装着して異なる装飾性を発揮させることもできる。
【００１８】
請求項４に係る発明によると、環径を任意に変えることで使用者ごとに装着状態を調節しながら装着でき、ネックレスとしての機能美の向上を図りつつ治療機能を発揮することができる磁気治療機能を有するネックレスを提供できる。
【００１９】
請求項５に係る発明によると、細い径のロープ体であっても、吸着性能を維持できると共にネックレスとしての装飾機能を有効に発揮させ、環状体の環状径を使用者の好みに応じて適宜に調整することができる磁気治療機能を有するネックレスを提供できる。
【発明を実施するための最良の形態】
【００２０】
以下、本発明における磁気治療機能を有するネックレスの実施形態及び作用を図面に従って詳細に説明する。
図１においては、本発明における磁気治療機能を有するネックレスの一例を示している。ネックレス本体１０における長尺部材１１は、ネックレス本体１０の長さに対応して適宜の長さに形成したものであり、本実施形態においては、この長尺部材１１を磁性材料によって形成してロープ体１２を構成している。
ロープ体１２の磁性材料としては、例えば、Ｆｅ３Ｏ４を原料に仮焼・粉砕し、成型・焼成して異方性フェライト磁石をフレキシブルな線形状に成形したり、或は、フェライト粉末や希土類・コバルト合金粉末に結合剤として樹脂を混合して押出成形によりフレキシブルな線形状に成形している。その他、この磁性材料として各種のものを挙げることができるが、例えば、熱可塑性樹脂又は熱硬化性樹脂とフェライト粉末又は希土類マグネット粉末を混合して練り込み、均一にした後、射出成形によって成形加工されたプラスチックマグネットがあり、或は、ラバーマグネット等がある。
【００２１】
ロープ体１２は、後述するように薄膜１４の被覆後に着磁機によって着磁すればよいが、ロープ体１２の押出し成形時において予め着磁するようにしてもよく、着磁する場合には、ロープ体１２の長さ方向に沿って断面分割面１３にＳ極とＮ極との単極をそれぞれ着磁する。また、ロープ体１２の形状がネックレスとして環形状になるように、予め押出成形時に形状記憶させるような加工を施してもよい。
【００２２】
ロープ体１２の外表面には、加熱によって収縮する樹脂製の熱収縮筒膜で被覆して薄膜１４を設けている。薄膜１４は、ロープ体１２を環形状態に形状記憶させるように、形状記憶性を持たせることもでき、この場合、ロープ体１２を予め円弧状等の所定の形態に曲げておき、この状態で加熱雰囲気中において薄膜部位を熱することで薄膜１４に形状記憶させることができる。また、薄膜１４への形状記憶時の加熱は、加熱雰囲気による加熱以外であってもよく、例えば、温水又は熱水に浸漬させたり、或は、加熱板上に載置して加熱するようにしてもよい。
このように、ロープ体１２に形状記憶性を付与することによりネックレス状の環状の形態を維持することができ、首に装着する際に常にロープ体１２の一定の側面が皮膚Ｓ側に配設されるようにしている。
ロープ体１２は、屈曲可能になるようにフレキシブルな性質を有しており、その断面形状は図３に示すような略円形状としている。
【００２３】
ロープ体１２には、適宜の色彩や光沢を有するシリコン樹脂又はアクリル樹脂等でコーティングした後に薄膜１４で被覆すると適宜の色彩を施すことができる。或は、ロープ体１２に適宜の色彩や光沢を有するシリコン樹脂又はアクリル樹脂のみでコーティングして薄膜１４を形成するようにしても良い。また、薄膜１４を透明又は半透明にすることもできるが、薄膜１４自体を着色して黒色や有彩色のロープ体１２とすることもできる。また、これ以外にも、金などをコーティング又はスパッタリング等の蒸着手段によって被覆して薄膜１４を設けるようにしても良い。
ロープ体１２を薄膜１４で被覆した場合には、上記のように形態記憶性を付与したり、装飾的価値を高めることができるが、これ以外にも、磁性材料を保護して劣化を防いだり、或は、磁性材料が直接皮膚Ｓに接触するのを防いで皮膚を保護することができるなどの効果がある。
【００２４】
ロープ体１２に薄膜１４を被覆した後には、図示しない適宜の着磁機によってロープ体１２の長さ方向に沿って図３及び図４に示すように断面分割面１３にＳ極とＮ極の単極を着磁する。ロープ体１２は前述したように断面略円形状であり、Ｓ極とＮ極は半円ずつに分けられた状態で着磁するようにし、この着磁の際には、Ｓ極又はＮ極の何れかの磁極を首の皮膚Ｓの側である内側にし、残りの磁極を首の外側になるように分け、ネックレス本体１０の装着時に、この環状のネックレス本体１０の内向き（内周側）と外向き（外周側）に各磁極が配列するように着磁する。
【００２５】
図２に示した保持体１６は、例えば、金などの貴金属で筒状に形成するようにしている。この筒状の保持体１６において、略中央部付近を膨出させるように成形して、この保持体１６の内部側に収納部１７を形成している。また、膨出部位の頂部付近に穿孔穴１８を設けている。挿入穴１６ａは、内径が長尺部材１１（ロープ体１２）の外径よりやや大きくなるように形成し、ロープ体１２を挿入可能に設けている。ロープ体１２の挿入後には、保持体１６はロープ体１２の長さ方向に移動自在となる。
【００２６】
磁性部材２０は、球体状に形成しており、図３、図４に示すようにこの球体の半球分割面でＳ極とＮ極に磁極を分割して着磁している。この磁性部材２０は強力磁石を使用していると共に小型に形成しており、しかも、保持体１６の内側に配設しているため、穿孔穴１８から突出する部分が極めて少なくなっている。
磁性部材２０は、例えば、保持体１６と同じ材料に適宜の材料を混入して磁性を帯びた合金として成形したり、或は、適宜の磁性材料を金めっき処理することなどにより加工することができ、着磁していると同時に装飾性も具備できるようにしている。
【００２７】
磁性部材２０は、保持体１６の収納部１７にゆるめに自由状態で収納され、さらに、この状態で保持体１６の挿入穴１６ａにロープ体１２を挿入することで、磁性部材２０が着磁されたロープ体１２の表面に吸着した状態になり、この吸着面と反対側の一部が穿孔穴１８より突出する。これにより、保持体１６をロープ体１２に対して移動させると、磁性部材２０はロープ体１２に対して旋回できるようにしている。この旋回は、磁性部材の図示しないロープ体との接触部を通る中心軸を中心として行われ、この状態で磁性部材２０はロープ体１２に常に吸着した状態となる。即ち、磁性部材２０は、球状体の形状であることにより自転しながら環状のロープ体１２の軸方向に沿って公転して、旋回移動を行う。
吸着時には、ロープ体１２の最大磁束密度部位に対して磁性部材２０の最大磁束密度部位が点接触で吸着し、この相乗効果によって、磁性部材２０の対極側の頂点部位に最大磁束密度部位を位置させることができ、この状態で旋回移動させることができる。
【００２８】
このとき、ロープ体１２の何れかの磁極（例えば、Ｎ極）を図３、図４における首の皮膚Ｓの側、他の磁極（例えば、Ｓ極）を首の外側に配設するように形成しているので、磁性部材２０がロープ体１２の内側に位置するように保持体１６を取付けると、この磁性部材２０は、ロープ体１２の内側の着磁面（Ｎ極）と異極の着磁面（Ｓ極）が吸着しながら旋回し、この着磁面（Ｓ極）と異極の着磁面（Ｎ極）の頂点側が穿孔穴１８から突出する。
磁性部材２０の最大磁束密度Ｆを発生する頂点部位は、保持体１６をロープ体１２に対して移動したときに、ロープ体１２の最大磁束密度部位に沿って線状の軌跡を描きながら移動し、ロープ体１２の内側の人体への当接部分に常に最大磁束密度Ｆを発生させた状態で保持体１６を移動調節でき、最も効果的に磁気治療効果を発揮させることができる。磁性部材２０の最大磁束密度Ｆは、例えば、１５００ガウス程度が望ましい。
【００２９】
図１において、キャップ状に形成した止着部材２１は、ロープ体１２の自由端部の一端側に固着し、この自由端部を保護している。また、止着筒体２２は、ロープ体１２の自由端部の他端側に設けてこの自由端部を保護し、内部には図示しない挿入孔を形成している。止着筒体２２の挿入孔に止着部材２１を挿入することでこれらを止着可能に設けている。
この止着手段としては、図示しないが、例えば、ねじ止め方式や掛け止め方式、磁石の吸着方式、永久磁石の反発力を利用したものを用いることができ、任意の止着手段を止着部材２１と止着筒体２２の外部或は外部に設けるようにすればよい。
また、止着部材２１と止着筒体２２の何れか一方、或は双方に磁石等の磁性材料体２３を内装するようにしてもよく、この場合、磁性部材２０以外の磁力を発する部材として磁気治療機能を発揮することができる。
【００３０】
次に、本発明における磁気治療機能を有するネックレスの上記実施形態における作用を説明する。
ネックレス本体１０を身体に装着する際には、保持体１６をロープ体１２の長さ方向に移動することで、使用者の患部やツボの位置にあわせて磁性部材２０を調節して自由位置に合わせることができ、これにより、所望の箇所を治療することができる。このとき、ロープ体１２の薄膜１４に対して保持体１６の内周面が面接触した状態となり、装着中に揺れなどが生じた場合でも磁性部材２０はロープ体１２に仮固着されて位置がずれたりすることがない。しかも、このロープ体１２には、形状記憶性を付与しているため、装着時には身体にフィットしてネックレス本体１０のずれが防止されるため、医療器具としての機能が維持される。
【００３１】
また、磁性部材２０を球体状に形成しており、この磁性部材２０は小型に形成でき、しかも、保持体１６の内側に配設しているため、保持体１６が大型化することがなく、ネックレス本体１０の装飾性が失われることがない。
【００３２】
ロープ体１２は、長さ方向に沿ってＳ極とＮ極がそれぞれ着磁され、このロープ体１２に半球分割面でＳ極とＮ極に磁極が分割された磁性部材２０を保持体１６によって配設して、保持体１６を移動したときに磁性部材２０がロープ体１２のＳ極又はＮ極の何れかの着磁面（例えば、Ｎ極）に異極の着磁面（例えば、Ｓ極）を吸着するように旋回移動し、このＳ極と異極であるＮ極の最大磁束密度Ｆの発生部分を頂点側に配することができ、磁力の強さを十分に発揮した状態で身体に装着することができる。
【００３３】
しかも、磁性部材２０の最大磁束密度Ｆの発生部分をネックレス本体１０の内向きに生じさせるようにしているので、この内向きの磁性部材２０の頂点側が首回りの皮膚Ｓに当接することにより、常に最大の磁力によって患部を治療したりツボを押圧することができ、医療器具として機能性に優れ、高い治療効果を発揮できる。
このとき、磁性部材２０は、保持体１６の穿孔穴１８より一部が突出した状態でこの保持体１６に装着されているため、この突設部位が皮膚Ｓに当接したときにピンポイントで患部やツボを押圧して効果的に肩こりを解したり血行を良くしたりでき、さらに、ネックレス本体１０の自重がこの点接触部分から伝わって、皮膚Ｓに適度の刺激を与えることができ、優れたマッサージ機能を発揮することもできる。
【００３４】
図５においては、本発明における磁気治療機能を有するネックレスの他の実施形態を示したものであり、長尺部材２５（ロープ体２６）のそれぞれの自由端部をキャップ２７で被覆し、この自由端部を巻回してロープ体２６の長さ方向に位置している異極同士を吸着して適宜の径に調整できる環状体２８を構成したものである。この場合、図６に示すように、巻回したロープ体２６の内側位置に保持体１６を移動することで、確実に磁性部材２０を皮膚Ｓ側に配設することができる。
このロープ体２６は、環径を適宜変えることによって使用者ごとに最適な装着状態を得ることができ、さらに、キャップ２７内に磁石等の磁性材料体２９を内装するようにすれば、この自由端部の位置にも磁気治療機能を持たせることができ、しかも、環状体２８の環径を変えることによってキャップ２７の位置を変えることができるため、このキャップ２７による磁気発生位置を任意に変えることができる。
【００３５】
図７においては、本発明における磁気治療機能を有するネックレスの更に他の実施形態を示したものであり、図５の環状体２８の吸着部位の途中に、環状体２８同士の吸着を保持する保持部材３０を設けたものである。この保持部材３０は、図示しないが、断面略８字形状に形成し、その内径側にロープ体２６を挿入して環状に吸着したロープ体２６を仮固定可能に設けたものであり、環状体２８同士の吸着を確実に保持することができる。また、この保持部材３０は位置を任意に変えることができる。
保持部材３０に対しても、キャップ２７の場合と同様に内部に磁石等の磁性材料体３１を内装したりして一体化することができ、磁気治療機能を持たせることができる。
また、環状体２８の中央下部に装飾性を有する適宜の飾体３２を装着するようにしてもよい。飾体３２は、リング部３２ａを介してロープ体２６に通した状態で吊下げるようにしているが、リング部３２ａ以外による取付け手段であってもよく、また、各種の装飾性を持たせるようにするとよい。
【００３６】
本発明における磁気治療機能を有するネックレスは、上記の実施形態以外にも、例えば、紐状部材からなる長尺部材などの磁力を有していない長尺部材に対しても磁性部材２０を設けて磁気治療機能を発揮させることができ、更には、これら以外の各種の態様の長尺部材に対して磁性部材２０を取付け可能であり、また、磁性部材の形状は球状以外の各種の形状に設けることもでき、例えば、円筒状に設けるようにした場合、皮膚に対して線接触で接触しながら押圧して治療することができ、このように様々な磁気治療機能を有するネックレスを設けることができる。
【図面の簡単な説明】
【００３７】
【図１】本発明の磁気治療機能を有するネックレスの一実施形態を示す正面図である。
【図２】図１の一部拡大斜視図である。
【図３】図１の一部拡大縦断面図である。
【図４】図３の一部切欠き側面図である。
【図５】本発明における磁気治療機能を有するネックレスの他の実施形態を示す正面図である。
【図６】図５のＡ−Ａ線拡大断面図である。
【図７】本発明における磁気治療機能を有するネックレスの更に他の実施形態を示す正面図である。
【符号の説明】
【００３８】
１０  ネックレス本体
１１  長尺部材
１２  ロープ体
１３  断面分割面
１６  保持体
２０  磁性部材
２１  止着部材
２２  止着筒体
２３  磁性材料体
２７  キャップ
２８  環状体
３０  保持部材
Ｆ  最大磁束密度
Ｓ  皮膚
【図１】
2007097847.tif 000003
【図２】
2007097847.tif 000004
【図３】
2007097847.tif 000005
【図４】
2007097847.tif 000006
【図５】
2007097847.tif 000007
【図６】
2007097847.tif 000008
【図７】
2007097847.tif 000009